(57)【要約】【課題】  利用者が携帯電話機を携帯している状況において、種々の操作対象や携帯電話機を無線操作する無線操作システムを提供する。【解決手段】  携帯電話機１とともに用いられ、操作対象５を無線操作するための無線操作システムに、操作対象５の操作に必要な操作情報を近距離無線により送信する送信手段を備えたアダプタ２と、操作情報を受信する受信手段、および受信した操作情報に基づいて操作対象５を操作する操作手段を有する近距離無線ユニット３、操作対象制御ユニット４とを備える。さらに、アダプタ２は、携帯電話機１とともに携帯されることにより携帯電話機１と直接通信可能な通信手段、および携帯電話機１から取得した携帯通信端末情報に基づいて操作情報を生成する操作情報生成手段を備えている。【選択図】  図１
2005295601.tif 000002
【特許請求の範囲】
【請求項１】
携帯通信端末とともに用いられ、操作対象を無線操作するための無線操作システムにおいて、
上記携帯通信端末と、
通信網を介して上記携帯通信端末と通信可能なセンタ装置と、
操作対象の操作に必要な操作情報を近距離無線により送信する送信手段を備えた送信側装置と、
上記操作情報を受信する受信手段、およびこの受信手段にて受信した操作情報に基づいて操作対象を操作する操作手段を備える受信側装置とを備え、
上記携帯通信端末は、
該携帯通信端末の有する固有の識別情報を上記センタ装置に送信する携帯通信端末送信手段を備えており、
上記センタ装置は、
上記携帯通信端末の識別情報を受信するセンタ装置受信手段と、
受信した携帯通信端末の識別情報を通信網を介して送信するセンタ装置送信手段とを備えており、
上記送信側装置は、
上記携帯通信端末とともに携帯されることにより上記携帯通信端末と直接通信可能な通信手段と、
この通信手段を介して上記携帯通信端末から取得した携帯通信端末情報に基づいて操作情報を生成する操作情報生成手段と、
上記送信側装置固有の送信側装置識別情報を記憶する送信側装置記憶手段とを備えており、
上記携帯通信端末情報は、上記携帯通信端末の識別情報であり、
上記操作情報には上記携帯通信端末の識別情報および上記送信側装置識別情報が含まれており、
上記受信側装置は、
上記携帯通信端末の識別情報および上記送信側装置識別情報を記憶する記憶手段と、
上記センタ装置から送信された携帯通信端末の識別情報を受信し、上記記憶手段に記憶させる登録手段と、
上記受信手段にて受信した携帯通信端末の識別情報および送信側装置識別情報と、上記記憶手段に記憶されている携帯通信端末の識別情報および送信側装置識別情報とが一致するか否かを判別する判別手段とを備えており、
上記操作手段が上記判別手段による判別結果に基づいて操作対象を操作することを特徴とする無線操作システム。
【請求項２】
携帯通信端末とともに用いられ、操作対象を無線操作するための無線操作システムにおいて、
上記携帯通信端末と、
通信網を介して上記携帯通信端末と通信可能なセンタ装置と、
操作対象の操作に必要な操作情報を近距離無線により送信する送信手段を備えた送信側装置と、
上記操作情報を受信する受信手段、およびこの受信手段にて受信した操作情報に基づいて操作対象を操作する操作手段を備える受信側装置とを備え、
上記携帯通信端末は、
該携帯通信端末の有する固有の識別情報を上記センタ装置に送信する携帯通信端末送信手段を備えており、
上記センタ装置は、
上記携帯通信端末の識別情報を受信するセンタ装置受信手段と、
受信した携帯通信端末の識別情報を通信網を介して送信するセンタ装置送信手段とを備えており、
上記送信側装置は、
上記携帯通信端末とともに携帯されることにより上記携帯通信端末と直接通信可能な通信手段と、
この通信手段を介して上記携帯通信端末から取得した携帯通信端末情報に基づいて操作情報を生成する操作情報生成手段とを備えており、
上記携帯通信端末情報は、上記携帯通信端末の識別情報であり、
上記操作情報には上記携帯通信端末の識別情報が含まれ、
上記携帯通信端末と上記送信側装置との直接通信はワイヤレス通信であり、
上記受信側装置は、
上記携帯通信端末の識別情報を記憶する記憶手段と、
上記センタ装置から送信された携帯通信端末の識別情報を受信し、上記記憶手段に記憶させる登録手段と、
上記受信手段にて受信した携帯通信端末の識別情報と、上記記憶手段に記憶されている携帯通信端末の識別情報とが一致するか否かを判別する判別手段とを備えており、
上記操作手段が上記判別手段による判別結果に基づいて操作対象を操作することを特徴とする無線操作システム。
【請求項３】
携帯通信端末を無線操作するための無線操作システムにおいて、
監視対象の状態を検知する検知手段、およびこの検知手段にて検知された監視対象の状態を表す監視情報を近距離無線により送信する送信手段を備えた送信側装置と、
上記監視情報を受信する受信手段、この受信手段にて受信した監視情報に基づいて上記携帯通信端末を操作するための操作情報を生成する操作情報生成手段、および上記携帯通信端末とともに携帯されることにより上記携帯通信端末と直接通信し、上記操作情報を携帯通信端末に送信する通信手段を備えた受信側装置とを備えており、
上記直接通信がワイヤレス通信であることを特徴とする無線操作システム。
【発明の詳細な説明】
【技術分野】
【０００１】
本発明は、利用者が携帯通信端末を携帯している状況において、種々の操作対象や携帯通信端末自体を無線操作する無線操作システムに関するものである。
【背景技術】
【０００２】
近年、携帯電話機（携帯通信端末）は爆発的に普及率を拡大しており、大多数の人が携帯電話機を持つようになってきている。多くの人に携帯電話機が普及した状況では、携帯電話機を使って通話以外の様々なことを行えるようにすることで、さらに携帯電話機が便利なものになる。
【０００３】
また、現在では、携帯電話機は単なる通信装置にとどまらず種々の処理を実行可能な多機能装置になっている。この処理能力を活用することにより他の装置を操作することが考えられる。例えば、携帯電話機を使ってドアをロックする、携帯電話機を切符の代わりにする、携帯電話機により料金の支払いをする、携帯電話機により状態を監視するといったことが考えられる。
【発明の開示】
【発明が解決しようとする課題】
【０００４】
ところが、従来の携帯電話機は、携帯通信網を介して外部と接続し、他の装置の操作等を行うため、その操作等を行うために携帯通信網の使用料（通信コスト）が発生するとことになる。例えば、携帯電話機を用いて家の鍵を開けるといった日常的な行為にまで通信コストがかかることになる。また、携帯通信網の電波が届かない場所や、携帯電話機の使用が禁止されているような場所では、携帯電話機を用いた操作ができなくなる。
【０００５】
このような問題を解消するためには、携帯電話機に近距離無線通信機能を内蔵し、この通信機能を用いて操作を行うことも考えられる。これにより、上記のような日常的な操作に通信コストがかかるといった不都合を解消することができる。例えば、自動販売機で缶入り飲料を購入する操作を携帯電話機で行うことを考えると、上記携帯通信網を介した操作では缶入り飲料の代金に加えて携帯電話機の通信料を負担しなければならないが、近距離無線通信機能を利用した操作ではそのような通信料を負担しなくてもよい。
【０００６】
しかし、近距離無線機能を内蔵した携帯電話機により操作を行えるのは、そのような携帯電話機を購入した利用者に限られ、通常の携帯電話機を利用している利用者はそのような操作を行うことができないという問題点がある。
【０００７】
このことは、携帯電話機を用いて装置を操作するサービスの開始時点において、大部分の携帯電話機の利用者が、自分の携帯電話機ではサービスを利用できないという事態を招くことになる。また、サービス提供者は、携帯電話機の利用者の多くが近距離無線機能を内蔵した携帯電話機に買い換えるまで、近距離無線機能を使ったサービスの事業を拡大することができないことになる。あるいは、そのような事態を改善するために、携帯電話機の買い換えを促進するような追加の投資を行う必要が生じることにもなる。
【０００８】
さらに、携帯電話機を用いて装置を操作するサービスの開始時点においては、操作対象が近距離無線機能を備えていない場合が多く、操作できる操作対象が限定されることにもなる。
【０００９】
本発明は、上記の問題に鑑みてなされたものであり、その目的は、利用者が携帯通信端末を携帯している状況において、種々の操作対象や携帯通信端末自体を無線操作する無線操作システムを提供することにより、携帯通信端末を利用する利用者に利便を与えることにある。
【課題を解決するための手段】
【００１０】
本発明に係るの無線操作システムは、携帯通信端末とともに用いられ、操作対象を無線操作するための無線操作システムであって、上記の課題を解決するために、操作対象の操作に必要な操作情報を近距離無線により送信する送信手段を備えた送信側装置と、上記操作情報を受信する受信手段、およびこの受信手段にて受信した操作情報に基づいて操作対象を操作する操作手段を備える受信側装置とを備え、上記送信側装置が、上記携帯通信端末とともに携帯されることにより上記携帯通信端末と直接通信可能な通信手段、およびこの通信手段を介して上記携帯通信端末から取得した携帯通信端末情報に基づいて操作情報を生成する操作情報生成手段を備えることを特徴としている。
【００１１】
現在では、携帯通信端末は単なる通信装置にとどまらず種々の処理を実行可能な多機能装置になっている。この処理能力を活用することにより他の装置を操作することが考えられる。しかし、携帯通信端末は、基本的には携帯通信網を介して外部と接続され、携帯通信網を介して他の装置を操作すると携帯通信網の使用料が発生することになる。また、携帯通信端末により携帯通信網を介して外部と接続したとしても、携帯通信網に接続できない操作対象を操作することはできない。
【００１２】
上記の構成では、送信側装置に、携帯通信端末と直接通信可能な通信手段と、この通信手段を介して携帯通信端末から取得した携帯通信端末情報に基づいて操作情報を生成する操作情報生成手段と、操作情報を近距離無線により送信する送信手段とを備えている。また、受信側装置に、操作情報を受信する受信手段と、受信した操作情報に基づいて操作対象を操作する操作手段とを備えている。これにより、携帯通信端末の機能を利用した操作情報を携帯通信端末を介さずに操作対象側へ伝えることができ、その操作情報に基づいて操作対象を操作することができるようになる。したがって、携帯通信網を使用することなく操作対象を操作でき、携帯通信網の使用料の発生を回避することができる。また、操作対象の操作手段を受信側装置に設けることで、従来近距離無線通信ができなかった操作対象をも操作できるようになる。さらに、近距離無線通信機能を有しない携帯通信端末においても、送信側装置を接続するなどして直接通信可能とすることにより、上記操作対象の操作を可能にすることができる。
【００１３】
その結果、利用者が携帯通信端末を携帯している状況において、種々の操作対象をより手軽に無線操作することが可能になり、携帯通信端末を利用する利用者に利便を与えることができるようになる。
【００１４】
本発明に係る無線操作システムは、上記の無線操作システムにおいて、さらに、上記携帯通信端末情報が上記携帯通信端末の有する固有の識別情報であり、上記操作情報には上記識別情報が含まれ、上記受信側装置が、上記識別情報を記憶する記憶手段、および上記受信手段にて受信した識別情報と上記記憶手段に記憶されている識別情報とが一致するか否かを判別する判別手段を備え、上記操作手段が上記判別手段による判別結果に基づいて操作対象を操作することが好ましい。
【００１５】
携帯通信端末は、通常個人または限られた人が利用するものであるため、携帯通信端末の識別情報はその携帯通信端末を利用している利用者を示しているとみなすことができる。上記の構成では、この識別情報を送信側装置が取得して送信し、受信側装置が受信した識別情報と記憶手段に記憶している識別情報とが一致するか否かを判別手段にて判別し、その結果に基づいて操作手段が操作対象を操作する。ここで、送信側装置は近距離無線により識別情報を受信側装置に送信するため、携帯通信端末および送信側装置を携帯した利用者が受信側装置に近づいた場合にのみ操作対象が操作されることになる。つまり、特定の人が受信側装置に近づいた場合にのみ操作対象が操作されるといった制御が可能になる。
【００１６】
本発明に係る無線操作システムは、上記の無線操作システムにおいて、さらに、上記送信手段は、上記受信手段との間で通信可能な状態になると自動的に上記操作情報を送信することが好ましい。
【００１７】
上記の構成では、利用者は携帯している携帯通信端末や送信側装置を操作することなく、受信側装置に近づくだけで操作対象を操作できるようになる。
【００１８】
本発明に係る無線操作システムは、上記の無線操作システムにおいて、さらに、上記携帯通信端末または上記送信側装置が、操作対象を操作するための入力を受け付ける入力手段を備え、上記送信手段が、上記入力手段への入力を待って操作情報を送信することが好ましい。
【００１９】
上記の構成では、利用者が操作対象を操作する意思があるときのみ操作対象が操作されることになり、不要な操作を防止することができる。
【００２０】
本発明に係る無線操作システムは、上記の無線操作システムにおいて、さらに、上記送信側装置が、この送信側装置固有の送信側装置識別情報を記憶する送信側装置記憶手段を備え、上記操作情報には上記送信側装置識別情報がさらに含まれ、上記受信側装置の記憶手段が、上記送信側装置識別情報をさらに記憶し、上記判別手段が、上記受信手段にて受信した識別情報および送信側装置識別情報と、上記記憶手段に記憶されている識別情報および送信側装置識別情報とが一致するか否かを判別し、上記操作手段が上記判別手段による判別結果に基づいて操作対象を操作することが好ましい。
【００２１】
上記の構成では、携帯通信端末の識別情報に加えて、送信側装置の送信側装置識別情報が一致するか否かをも判別し、その判別結果に基づいて操作対象を操作する。これにより、例えば携帯通信端末、送信側装置の一方が盗まれたような場合でも、それらの不正使用による操作対象の操作を防ぐことができる。
【００２２】
本発明に係る無線操作システムは、上記の無線操作システムにおいて、さらに、上記携帯通信端末と上記送信側装置との直接通信がワイヤレス通信であることが好ましい。
【００２３】
上記の構成では、携帯通信端末と送信側装置とを別々に保管、携帯することが可能になる。これにより、携帯通信端末および送信側装置が同時に盗まれ、不正に使用されて操作対象が操作されることを防ぐことができる。
【００２４】
本発明に係る無線操作システムは、上記の無線操作システムにおいて、さらに、上記携帯通信端末と、通信網を介して上記携帯通信端末と通信可能なセンタ装置とを備え、上記携帯通信端末が、上記識別情報を上記センタ装置に送信する携帯通信端末送信手段を備え、上記センタ装置が、上記識別情報を受信するセンタ装置受信手段と、受信した識別情報を通信網を介して送信するセンタ装置送信手段とを備え、上記受信側装置が、上記センタ装置から送信された識別情報を受信し、上記記憶手段に記憶させる登録手段を備えることが好ましい。
【００２５】
上記の構成では、利用者は携帯通信端末の識別情報を携帯通信端末の通信機能を利用してセンタ装置へ送信し、センタ装置が受信側装置へ識別情報を送信することで受信側装置での識別情報の登録が可能になる。これにより、例えば操作対象が公共のものであるような場合に、利用者は携帯通信端末を利用して識別情報の登録を行うことができるようになる。また、センタ装置を介することで、センタ装置にて例えば所定の条件が整っている場合のみ識別情報の登録を許可するといったことが可能になり、操作対象を操作する利用者の管理が可能になる。
【００２６】
本発明に係る無線操作システムは、携帯通信端末を無線操作するための無線操作システムであって、上記の課題を解決するために、監視対象の状態を検知する検知手段、およびこの検知手段にて検知された監視対象の状態を表す監視情報を近距離無線により送信する送信手段を備えた送信側装置と、上記監視情報を受信する受信手段、この受信手段にて受信した監視情報に基づいて上記携帯通信端末を操作するための操作情報を生成する操作情報生成手段、および上記携帯通信端末とともに携帯されることにより上記携帯通信端末と直接通信し、上記操作情報を携帯通信端末に送信する通信手段を備えた受信側装置とを備えることを特徴としている。
【００２７】
上記の構成では、監視対象の状態に応じた操作情報を携帯通信端末に送ることにより、監視対象の状態に応じて携帯通信端末を操作することができるようになる。このとき、上記の無線操作システムと同様に、携帯通信網の使用料の発生を回避することができ、また、従来近距離無線通信ができなかった監視対象をも監視することができ、さらに、近距離無線通信機能を有しない携帯通信端末においても、受信側装置を接続するなどして直接通信可能とすることにより、携帯通信端末の操作を可能にすることができる。
【００２８】
その結果、利用者が携帯通信端末を携帯している状況において、携帯通信端末をより手軽に無線操作することが可能になり、携帯通信端末を利用する利用者に利便を与えることができるようになる。
【発明の効果】
【００２９】
以上のように、本発明に係るの無線操作システムは、携帯通信端末とともに用いられ、操作対象を無線操作するための無線操作システムであって、操作情報を近距離無線により送信する送信手段を備えた送信側装置と、操作情報を受信する受信手段、およびこの操作情報に基づいて操作対象を操作する操作手段を備える受信側装置とを備え、送信側装置が、携帯通信端末と直接通信可能な通信手段、および携帯通信端末から取得した携帯通信端末情報に基づいて操作情報を生成する操作情報生成手段を備える構成である。
【００３０】
上記の構成では、携帯通信端末の機能を利用した操作情報を携帯通信端末を介さずに操作対象側へ伝えることができ、その操作情報に基づいて操作対象を操作することができるようになる。したがって、携帯通信網を使用することなく操作対象を操作でき、携帯通信網の使用料の発生を回避することができる。また、操作対象の操作手段を受信側装置に設けることで、従来近距離無線通信ができなかった操作対象をも操作できるようになる。さらに、近距離無線通信機能を有しない携帯通信端末においても、送信側装置を接続するなどして直接通信可能とすることにより、上記操作対象の操作を可能にすることができる。
【００３１】
その結果、利用者が携帯通信端末を携帯している状況において、種々の操作対象をより手軽に無線操作することが可能になり、携帯通信端末を利用する利用者に利便を与えることができるようになる。
【００３２】
本発明に係る無線操作システムは、上記の無線操作システムにおいて、さらに、携帯通信端末情報が携帯通信端末の有する固有の識別情報であり、操作情報には識別情報が含まれ、受信側装置が、識別情報を記憶する記憶手段、および受信した識別情報と記憶されている識別情報とが一致するか否かを判別する判別手段を備え、操作手段が判別結果に基づいて操作対象を操作することが好ましい。
【００３３】
上記の構成では、送信側装置は近距離無線により識別情報を受信側装置に送信するため、携帯通信端末および送信側装置を携帯した利用者が受信側装置に近づいた場合にのみ操作対象が操作されることになる。つまり、特定の人が受信側装置に近づいた場合にのみ操作対象が操作されるといった制御が可能になる。
【００３４】
本発明に係る無線操作システムは、上記の無線操作システムにおいて、さらに、送信手段が、受信手段との間で通信可能な状態になると自動的に上記操作情報を送信することが好ましい。
【００３５】
上記の構成では、利用者は携帯している携帯通信端末や送信側装置を操作することなく、受信側装置に近づくだけで操作対象を操作できるようになる。
【００３６】
本発明に係る無線操作システムは、上記の無線操作システムにおいて、さらに、携帯通信端末または送信側装置が、操作対象を操作するための入力を受け付ける入力手段を備え、送信手段が、入力手段への入力を待って操作情報を送信することが好ましい。
【００３７】
上記の構成では、利用者が操作対象を操作する意思があるときのみ操作対象が操作されることになり、不要な操作を防止することができる。
【００３８】
本発明に係る無線操作システムは、上記の無線操作システムにおいて、さらに、送信側装置が、この送信側装置固有の送信側装置識別情報を記憶する送信側装置記憶手段を備え、操作情報には送信側装置識別情報がさらに含まれ、受信側装置の記憶手段が、送信側装置識別情報をさらに記憶し、判別手段が、受信した識別情報および送信側装置識別情報と、記憶されている識別情報および送信側装置識別情報とが一致するか否かを判別し、操作手段が判別結果に基づいて操作対象を操作することが好ましい。
【００３９】
上記の構成では、携帯通信端末の識別情報に加えて、送信側装置の送信側装置識別情報が一致するか否かをも判別し、その判別結果に基づいて操作対象を操作する。これにより、例えば携帯通信端末、送信側装置の一方が盗まれたような場合でも、それらの不正使用による操作対象の操作を防ぐことができる。
【００４０】
本発明に係る無線操作システムは、上記の無線操作システムにおいて、さらに、携帯通信端末と送信側装置との直接通信がワイヤレス通信であることが好ましい。
【００４１】
上記の構成では、携帯通信端末と送信側装置とを別々に保管、携帯することが可能になる。これにより、携帯通信端末および送信側装置が同時に盗まれ、不正に使用されて操作対象が操作されることを防ぐことができる。
【００４２】
本発明に係る無線操作システムは、上記の無線操作システムにおいて、さらに、携帯通信端末と、センタ装置とを備え、携帯通信端末が、識別情報をセンタ装置に送信する携帯通信端末送信手段を備え、センタ装置が、識別情報を受信するセンタ装置受信手段と、受信した識別情報を通信網を介して送信するセンタ装置送信手段とを備え、受信側装置が、センタ装置から送信された識別情報を受信し、記憶手段に記憶させる登録手段を備えることが好ましい。
【００４３】
上記の構成では、例えば操作対象が公共のものであるような場合に、利用者は携帯通信端末を利用して識別情報の登録を行うことができるようになる。
【００４４】
また、本発明に係る無線操作システムは、携帯通信端末を無線操作するための無線操作システムであって、監視対象の状態を検知する検知手段、および検知された監視対象の状態を表す監視情報を近距離無線により送信する送信手段を備えた送信側装置と、監視情報を受信する受信手段、受信した監視情報に基づいて携帯通信端末を操作するための操作情報を生成する操作情報生成手段、および携帯通信端末と直接通信し操作情報を携帯通信端末に送信する通信手段を備えた受信側装置とを備える構成である。
【００４５】
上記の構成では、監視対象の状態に応じた操作情報を携帯通信端末に送ることにより、監視対象の状態に応じて携帯通信端末を操作することができるようになる。このとき、上記の無線操作システムと同様に、携帯通信網の使用料の発生を回避することができ、また、従来近距離無線通信ができなかった監視対象をも監視することができ、さらに、近距離無線通信機能を有しない携帯通信端末においても、受信側装置を接続するなどして直接通信可能とすることにより、携帯通信端末の操作を可能にすることができる。
【００４６】
その結果、利用者が携帯通信端末を携帯している状況において、携帯通信端末をより手軽に無線操作することが可能になり、携帯通信端末を利用する利用者に利便を与えることができるようになる。
【発明を実施するための最良の形態】
【００４７】
〔実施形態１〕
本発明の第１の実施形態について図１から図１５に基づいて説明すれば、以下の通りである。
（システム構成）
図１は、本実施形態における無線操作システムの構成を示す概念図である。本無線操作システムは、操作対象５を操作するためのものであり、基本的には、携帯電話機１、アダプタ２、近距離無線ユニット３、および操作対象制御ユニット４からなっている。また、この基本構成に加えて、携帯電話通信網６、インターネット等のネットワーク７、センタ装置８を含む場合もある。
【００４８】
携帯電話機１は携帯電話通信網６と接続され、携帯電話通信網６を介してデータ通信可能であり、携帯電話通信網６はネットワーク７とも接続されている。近距離無線ユニット３は携帯電話通信網６またはネットワーク７と接続してデータ通信可能となる場合もある。センタ装置８はネットワーク７と接続され、ネットワーク７を介してデータ通信可能である。
【００４９】
ここで、携帯電話機１およびアダプタ２は本無線操作システムの利用者が携帯するものである。本無線操作システムでは、利用者が携帯電話機１およびアダプタ２により操作対象を操作できるようになっている。このとき、アダプタ２と近距離無線ユニット３とは近距離無線により通信を行う。近距離無線ユニット３はアダプタ２から送信された無線信号を受信し、操作対象制御ユニット４へ制御信号を送信する。操作対象制御ユニット４は、制御信号に基づいて操作対象５を制御する。
【００５０】
本無線操作システムを用いたサービス提供者は、通常、アダプタ２、近距離無線ユニット３、および操作対象制御ユニット４を利用者に提供するとともに、必要に応じてセンタ装置８を設置する。利用者は、もともと自分が利用している携帯電話機１にアダプタ２を接続するとともに、操作対象制御ユニット４を操作対象５に取り付けて利用する。なお、操作対象５が公共的なものである場合は、操作対象制御ユニット４はサービス提供者が設置する場合もある。
【００５１】
サービス提供者から利用者へのアダプタ２等の提供方法は、商品としての販売、有料または無料の貸与、あるいは第三者を介した間接的提供の何れであってもよい。
【００５２】
サービス提供者は、１つの事業者であってもよく、複数の事業者であってもよい。サービス提供者としては、例えば携帯電話サービスの事業者が考えられる。
【００５３】
利用者へのサービスは、携帯電話機１、アダプタ２、近距離無線ユニット３、操作対象制御ユニット４の連携（センタ装置８を含む場合もある）による操作対象５の操作である。
【００５４】
利用者は、人以外に、動物、植物、機械、コンピュータシステム、ロボット等も考えられ、スイッチの操作、運動、移動、状態変化等によって操作対象５を操作する起因となる意図を本無線操作システムに対して与えることができるものであればよい。
（携帯電話機・アダプタの構成）
図２は、本実施形態における携帯電話機１およびアダプタ２の外観を示しており、図２（ａ）は正面図、図２（ｂ）は斜視図である。
【００５５】
図２の携帯電話機１は、通話機能およびデータ通信機能を兼ね備えるものであり、アダプタ２と接続するためのコネクタ１８、テンキーや十字型キーなどの各種ボタンキーから構成されている入力キー１６、およびＬＣＤ（Liquid Crystal Display）１７を備えている。図２のアダプタ２は、携帯電話機１のコネクタ１８と接続するためのコネクタ２８、および操作部２６を備えている。なお、アダプタ２は操作部２６を備えていなくてもよい。
【００５６】
なお、本実施形態における携帯電話機１およびアダプタ２は、図３に示すものであってもよい。図３は本実施形態におけるカード型携帯電話機１０１およびカード型携帯電話機用アダプタ１０２の外観を示しており、図３（ａ）は正面図、図３（ｂ）は斜視図である。
【００５７】
図３のカード型携帯電話機１０１は、通話機能を備えないデータ通信機能のみのものであり、アダプタ１０２と接続するための例えばＰＣＭＣＩＡ（Personal Computer Memory Card International Association ）インターフェイス等のコネクタ１１８を備えている。カード型携帯電話機用アダプタ１０２は、カード型携帯電話機１０１を挿入するためのカードスロット１０２ａ、カードスロット１０２ａの内部にあってカード型携帯電話機１０１のコネクタ１１８と接続するためのコネクタ１２８、および操作部１２６を備えている。
【００５８】
また、本実施形態における携帯電話機１およびアダプタ２は、図４に示すものであってもよい。図４（ａ）は、ボード型携帯電話機２０１およびボード型携帯電話機用アダプタ２０２を示しており、ボード型携帯電話機用アダプタ２０２の裏蓋２０２ａを開けてボード型携帯電話機２０１をボード型携帯電話機用アダプタ２０２内に内蔵できるようになっている。図４（ｂ）は、携帯電話機３０１とアダプタ３０２とがワイヤレス通信可能である点でのみ図２の携帯電話機１およびアダプタ２とは異なるものを示している。図４（ｃ）は、ペン型の携帯電話機本体４０１ａおよびヘッドセット４０１ｂからなる携帯電話機４０１と、この携帯電話機４０１とワイヤレス通信可能なアダプタ４０２を示している。
【００５９】
なお、以下では特に断らない限り図２の携帯電話機１およびアダプタ２を想定して説明するが、他のタイプの携帯電話機およびアダプタに変更することも可能である。
【００６０】
図５は、携帯電話機１の内部構成を示すブロック図である。携帯電話機１は、バス１１を介して、ＣＰＵ（Central Processing Unit ）１２と、メモリ１３と、アダプタインターフェイス回路１４と、パケット通信回路１５と、入力キー１６と、ＬＣＤ（Liquid Crystal Display）１７とが接続された構成である。また、アダプタインターフェイス回路１４には、コネクタ１８が接続されている。
【００６１】
ＣＰＵ１２は、例えばマイクロコンピュータによって構成されており、入力キー１６にて受け付けたユーザの指示や、各種電話基地局からの指示に応じて、携帯電話機１の各種制御を行うものである。
【００６２】
メモリ１３は、ＲＡＭ（Random Access Memory）やＲＯＭ（Read Only Memory）に代表される公知のメモリによって構成されており、電話番号データベースの他、ＣＰＵ１２が利用する各種のプログラムやデータを記憶する。
【００６３】
アダプタインターフェイス回路１４は、コネクタ１８にアダプタ２のコネクタ２８が接続された状態で、アダプタ２とのデータ通信を行うためのインターフェイスである。
【００６４】
パケット通信回路１５は、ＣＰＵ１２の制御のもとで、アンテナ１５ａを用いてパケット方式の無線電話通信を行う公知の通信回路である。
【００６５】
入力キー１６は、テンキーや十字型キーなどの各種ボタンキーから構成されており、ユーザが電話番号や各種情報の入力を行うための公知のインターフェイスである。
【００６６】
ＬＣＤ１７は、ＣＰＵ１２の制御のもとで、ユーザに対して、視覚的に各種メッセージを表示する表示部である。ＬＣＤ１７は、通話先電話番号情報や時刻情報を表示することもできる。
【００６７】
なお、図５では省略しているが、携帯電話機１は一般的な電話機能を有するものであるから、発話者の音声を取り込むマイクロホンや、通話の音声出力を行うスピーカも備えている。
【００６８】
図６は、アダプタ２の内部構成を示すブロック図である。アダプタ２は、バス２１を介して、ＣＰＵ２２と、メモリ２３と、携帯電話機インターフェイス回路２４と、近距離無線通信回路２５と、操作部２６とが接続された構成である。また、携帯電話機インターフェイス回路２４には、コネクタ２８が接続されている。なお、操作部２６は備えられていなくてもよい。
【００６９】
ＣＰＵ２２は、例えばマイクロコンピュータによって構成されており、コネクタ２８および携帯電話機インターフェイス回路２４を介して携帯電話機１から受けた信号や、操作部２６にて受け付けたユーザの指示に応じて、アダプタ２の各種制御を行うものである。
【００７０】
メモリ２３は、ＲＡＭやＲＯＭに代表される公知のメモリによって構成されており、ＣＰＵ２２が利用する各種のプログラムやデータを記憶する。
【００７１】
携帯電話機インターフェイス回路２４は、コネクタ２８に携帯電話機１のコネクタ１８が接続された状態で、携帯電話機１とのデータ通信を行うためのインターフェイスである。
【００７２】
近距離無線通信回路２５は、ＣＰＵ２２の制御のもとで、アンテナ２５ａを用いて近距離無線通信を行う公知の通信回路である。近距離無線通信方式としては、２．４ＧＨｚの１１ＭｂｐｓＬＡＮ（Local Area Network) 規格やＢｌｕｅ−Ｔｏｏｔｈ（登録商標）規格の微弱電波を用いたものや、赤外線を用いたものを利用できる。これら近距離無線通信規格の標準的な通信可能距離は、屋内で数十〜数百メートル程度である。
【００７３】
操作部２６は、例えば操作スイッチのように、利用者の操作意思を伝えられるものであればよく、利用者がそれを操作することによって、利用者の操作意思をアダプタ２に入力することができるようになっている。操作スイッチは機械的に操作するもの以外に、光電スイッチなどのセンサ機能を有するものであってもよい。
【００７４】
また、操作部２６は、操作スイッチ以外に次のようなものであってもよい。例えば、アダプタ２に操作部２６としてマイクなど音声を検出する手段と音声の内容を認識する手段を付けて、音声を入力することによって利用者が操作意思を示すことができる。また、アダプタ２に操作部２６として衝撃や振動などを検出する手段と特定の衝撃や振動を検知する手段をつけることによって、利用者がアダプタ２に衝撃や振動を加えることによって操作意思を示すことができる。また、アダプタ２に操作部２６として、操作対象制御ユニット４との通信を行うための近距離無線通信回路２５とは別に動作する近距離無線手段を搭載し、その近距離無線を使うリモコンと組み合わせることによって、リモコン操作で操作意思を示すことができる。また、アダプタ２に操作部２６としてＣＣＤカメラなどの画像情報を取得して画像の内容で判断する手段を設け、画像を利用して操作意思を示すこともできる。例えば、ＣＣＤカメラの前に手をかざしたり、顔や指紋、掌紋、動物の毛の模様など個人の特徴を認識したりすることで、利用者は操作意思を示すことができる。また、ＣＣＤカメラで紙を撮影しておいて、その紙に文字や図形を書くことで操作意思を示すこともできる。さらに、プレートにシステムが識別可能なバーコードなどの画像入力可能な情報を印刷しておき、それをＣＣＤカメラに向けて提示するようにすることもできる。
【００７５】
このような操作部２６を設けることにより、ペットや老人、ロボットなど、複雑な操作を習得することができない利用者でも容易に操作することができるようになる。
（アダプタ〜操作対象の構成）
図７は、アダプタ２、近距離無線ユニット３、操作対象制御ユニット４、および操作対象５の関係を示すブロック図である。
【００７６】
アダプタ２と近距離無線ユニット３とは、上述のように、近距離無線によりデータ通信を行い、アダプタ２から近距離無線ユニット３へ無線信号が送られる。近距離無線ユニット３と操作対象制御ユニット４とは、通常ケーブルやコネクタ等で接続されてデータ通信を行い、近距離無線ユニット３から操作対象制御ユニット４へ制御信号が送られる。操作対象制御ユニット４と操作対象５とは、後述するように操作対象５によって異なる形態で接続される。
【００７７】
なお、近距離無線ユニット３と操作対象制御ユニット４とは一体的に構成されていてもよい。また、制御信号は、電気的信号以外に光や無線によるものであってもよい。
【００７８】
アダプタ２は無線信号を送信し、近距離無線ユニット３はその無線信号を受信する。無線信号には、操作対象５を操作するための情報（操作情報）が含まれている。近距離無線ユニット３は、受信した無線信号を制御信号に変換して操作対象制御ユニット４に送る。操作対象制御ユニット４は、近距離無線ユニット３から送られる制御信号に基づき操作対象５ごとの制御を行う。
【００７９】
図８は、近距離無線ユニット３の内部構成を示すブロック図である。近距離無線ユニット３は、バス３１を介して、ＣＰＵ３２と、メモリ３３と、操作対象制御ユニットインターフェイス回路３４と、ネットワーク通信回路３６とが接続された構成である。なお、ネットワーク通信回路３６は必要ない場合もある。
【００８０】
ＣＰＵ３２は、例えばマイクロコンピュータによって構成されており、アンテナ３５ａおよび近距離無線通信回路３５を介してアダプタ２から受けた無線信号に応じて、近距離無線ユニット３の各種制御を行い、操作対象制御ユニットインターフェイス回路３４を介して操作対象制御ユニット４に制御信号を送る。
【００８１】
メモリ３３は、ＲＡＭやＲＯＭに代表される公知のメモリによって構成されており、ＣＰＵ３２が利用する各種のプログラムやデータを記憶する。
【００８２】
操作対象制御ユニットインターフェイス回路３４は、操作対象制御ユニット４に対して制御信号を送るためのインターフェイスである。
【００８３】
近距離無線通信回路３５は、ＣＰＵ３２の制御のもとで、アンテナ２５ａを用いて近距離無線通信を行う公知の通信回路である。
【００８４】
ネットワーク通信回路３６は、ＣＰＵ３２の制御のもとでネットワーク７を介したデータ通信を行う公知の通信回路である。なお、ネットワーク通信回路３６の代わりに、携帯電話通信網６を介した通信を行うパケット通信回路を備えていてもよい。
【００８５】
図９は、操作対象制御ユニット４の内部構成を示すブロック図である。操作対象制御ユニット４は、近距離無線ユニットインターフェイス回路４４と操作対象操作部４５とがＣＰＵ４２を介して接続された構成である。
【００８６】
ＣＰＵ３２は、例えばマイクロコンピュータによって構成されており、近距離無線ユニットインターフェイス回路４４を介して近距離無線ユニット３から受けた制御信号に応じて、操作対象操作部４５の制御を行うものである。
【００８７】
操作対象操作部４５は、操作対象５によって異なる構成となる。例えば、操作対象５が機械的スイッチやボタン、レバーなどによって制御されるものである場合、操作対象操作部４５はアクチュエータやソレノイド等を備えた構成によってそのスイッチやボタン、レバーなどを機械的に動かすものになる。
【００８８】
操作対象５が電気的に制御されるものである場合、操作対象操作部４５は操作対象５の所定の回路に所定の電圧や電流を供給することにより操作対象５を制御するものになる。例えば、自動車のドアロックの設定／解除、窓の開閉、トランクのオープン等が考えられる。
【００８９】
操作対象５がＬＡＮ等のネットワークを経由して送られる信号により制御されるものである場合、操作対象操作部４５はそのようなネットワークと接続可能で、ネットワークを介して操作対象５を制御するための信号を送るものになる。例えば、Ｗｅｂサーバ上に構築されているコンテンツが操作対象５である場合、コンテンツの更新などがこの方式で制御される。
【００９０】
操作対象５が微弱電波や赤外線等による信号を受信して制御されるものである場合、操作対象操作部４５はそのような信号を送信するものになる。
【００９１】
操作対象５に操作対象５を直接制御する手段がなく、人や動物など指示を受けることができるものの動作により制御することが可能な場合には、操作対象操作部４５はそのような指示を行うものになる。例えば、操作対象５がセキュリティ管理のため指紋を検出して動作するようなものである場合には、利用可能な人に画面表示や声などで指示を出して、操作を依頼することによって、操作対象５の操作を行う。あるいは、ペット専用入り口の開閉のように、ペットが操作するような操作対象５の場合には、音などで動物に指示を出して、入り口を開けさせるようにしてもよい。
このように、操作対象操作部４５は操作対象５に対応した構成となっている。
【００９２】
図１０は、センタ装置８の内部構成を示すブロック図である。センタ装置８は、バス８１を介して、ＣＰＵ８２と、ネットワーク通信回路８５と、メモリ８３と、ＣＲＴ（Cathode Ray Tube）８７と、キーボード８６とが接続された構成である。
【００９３】
ＣＰＵ８２は、例えばマイクロコンピュータによって構成されており、センタ装置８の制御を司っている。
【００９４】
ネットワーク通信回路８５は、ＣＰＵ８２の制御のもとで、携帯電話機１や近距離無線ユニット３との通信を行うための構成であって、外部とのインターフェイスとして機能するものである。
【００９５】
メモリ８３は、ＲＡＭやＲＯＭに代表される公知のメモリや、磁気ディスクドライブや光ディスクドライブに代表される公知記録デバイスによって構成されており、ＣＰＵ８２の制御のもとで各種情報を記憶する構成である。
【００９６】
ＣＲＴ８７、キーボード８６は公知のユーザインタフェースであり、センタ装置８の管理者がセンタ装置８に各種指示を行う、あるいはメモリ８３における記録内容の確認や修正を行うために用いられる。
【００９７】
以上のように、本無線操作システムは、携帯電話機１（携帯通信端末）とともに用いられ、操作対象５を無線操作するためのものであって、主に次のような特徴を有している。すなわち、本無線操作システムは、操作対象５の操作に必要な操作情報を近距離無線により送信する近距離無線通信回路２５およびアンテナ２５ａ（送信手段）を備えたアダプタ２（送信側装置）と、操作情報を受信するアンテナ３５ａおよび近距離無線通信回路３５（受信手段）、およびこの近距離無線通信回路３５にて受信した操作情報に基づいて操作対象５を操作する操作対象操作部４５（操作手段）を備える近距離無線ユニット３、操作対象制御ユニット４（受信側装置）とを備えている。そして、アダプタ２が、携帯電話機１とともに携帯されることにより携帯電話機１と直接通信可能な携帯電話機インターフェイス回路２４およびコネクタ２８（通信手段）と、この携帯電話機インターフェイス回路２４およびコネクタ２８を介して携帯電話機１から取得した携帯通信端末情報に基づいて操作情報を生成するＣＰＵ２２（操作情報生成手段）を備えている。なお、アダプタ２と携帯電話機１との間の「直接通信」とは、アダプタ２と携帯電話機１との間で、公衆回線を介さずに行われる通信をいう。
【００９８】
この構成では、携帯電話機１の機能を利用した操作情報を携帯電話通信網６を介さずに操作対象側へ伝えることができ、その操作情報に基づいて操作対象を操作することができるようになる。
【００９９】
以下では、図１、図５〜図９を参照しつつ、本無線操作システムの具体例について説明する。なお、以下において説明する携帯電話機１、アダプタ２、近距離無線ユニット３、操作対象制御ユニット４、センタ装置８の動作は、それぞれに備えられたＣＰＵによって制御されるものである。
（システムの具体例１）
ここでは、本無線操作システムを自動ロック操作システムとして用いた場合について説明する。
【０１００】
図１１は、自動ロック操作システムの概念を示す概念図である。また、図１２は、自動ロック操作システムにおける処理の流れを示すフローチャートである。
【０１０１】
この自動ロック操作システムは、例えば家の玄関扉の鍵を自動的に操作するために用いられる。この場合、玄関扉の鍵が操作対象５となる。また、操作対象制御ユニット４は、玄関扉の内側に取り付けられており、操作対象操作部４５により鍵のつまみを回転させるなどして施錠／解錠の操作をできるようになっている。
【０１０２】
玄関扉の鍵は、通常操作対象制御ユニット４により施錠されている。利用者は、外出時には、アダプタ２を接続した状態の携帯電話機１を携帯する。利用者が帰宅し、玄関扉に近づくと、アダプタ２と近距離無線ユニット３との間で近距離無線通信が可能となり、通信が確立される（ステップＳ１）。
【０１０３】
アダプタ２は、近距離無線ユニット３との通信が確立されると、携帯電話機インターフェイス回路２４を介して、携帯電話機１から携帯電話機１のＩＤを取得する（ステップＳ２）。
【０１０４】
ここで、携帯電話機１のＩＤとしては、携帯電話機１の電話番号やインターネット上のメールアドレスを用いることができる。携帯電話機１の電話番号やインターネット上のメールアドレスは、携帯電話機１ごとに固有のものが設定されており、また携帯電話機１は利用者個人やその家族など特定の人のみが携帯するものであるため、携帯電話機１の電話番号やインターネット上のメールアドレスはこの場合のＩＤとして利用するのに好都合である。ＩＤとしての電話番号やインターネット上のメールアドレスは、携帯電話機１のメモリ１３に予め記憶されている。なお、ＩＤは電話番号やインターネット上のメールアドレスに限られず、携帯電話機１ごとに固有に設定されているものであればよい。
【０１０５】
アダプタ２は、携帯電話機１から取得したＩＤを近距離無線通信回路２５から近距離無線ユニット３に対して送信する（ステップ３）。近距離無線ユニット３は、アダプタ２から送信されたＩＤを近距離無線通信回路３５により受信する（ステップＳ４）。
【０１０６】
近距離無線ユニット３には、その家へ入ることが許されている者（例えばその家に住む家族）それぞれの携帯電話機１のＩＤが予め設定され、メモリ３３に記憶されている。近距離無線ユニット３は、アダプタ２からＩＤを受信すると、メモリ３３に記憶しているＩＤとの照合をＣＰＵ３２により行う（ステップＳ５）。そして、照合の結果、受信したＩＤがメモリ３３に記憶しているＩＤの１つと一致したか否かをＣＰＵ３２により判別する（ステップＳ６）。
【０１０７】
ここで、一致した場合は、近距離無線ユニット３が、鍵を解錠するための制御信号を操作対象制御ユニットインターフェイス回路３４から操作対象制御ユニット４に送る（ステップＳ７）。操作対象制御ユニット４は、その制御信号を近距離無線ユニットインターフェイス回路４４にて近距離無線ユニット３から受けると、操作対象操作部４５が鍵を解錠して利用者が玄関扉を開けることができるようにする（ステップＳ８）。なお、操作対象制御ユニット４はタイマを備え、解錠してから所定時間経過後に再度施錠するようになっている。
【０１０８】
近距離無線ユニット３のＣＰＵ３２が、ステップＳ６において、受信したＩＤがメモリ３３に記憶しているＩＤの何れとも一致しなかったと判別すると、操作対象制御ユニット４に制御信号を送ることなく処理を終了する。
【０１０９】
この自動ロック操作システムでは、鍵の操作そのものが不要となるため、幼児などが出入りしたときの鍵のかけ忘れを防ぐことができる。また、利用者は、帰宅時に玄関扉の鍵を操作する手間を省くことができる。さらに、この自動ロック操作システムを用いると、玄関扉外側に鍵穴を設ける必要がないため、ピッキングなどによる犯罪を防止することができる。
【０１１０】
以上のように、本自動ロック操作システム（無線操作システム）では、アダプタ２が携帯電話機１から取得する情報（携帯通信端末情報）として、携帯電話機１の有する固有のＩＤ（識別情報）を取得する。そして、アダプタ２が無線信号として近距離無線ユニット３に送信する情報（操作情報）に、ＩＤが含まれる。近距離無線ユニット３は、ＩＤを記憶するメモリ３３（記憶手段）、およびアンテナ３５ａ、近距離無線通信回路３５にて受信したＩＤとメモリ３３に記憶されているＩＤとが一致するか否かを判別するＣＰＵ３２（判別手段）を備えている。操作対象制御ユニット４の操作対象操作部４５は、ＣＰＵ３２による判別結果に基づいて操作対象５である玄関扉の鍵を操作する。
【０１１１】
この構成では、近距離無線によりＩＤの送信を行うため、特定の携帯電話機１およびアダプタ２を携帯した利用者が近距離無線ユニット３に近づいた場合にのみ操作対象５が操作されることになる。つまり、家族などの特定の人が帰宅して近距離無線ユニット３に近づいた場合にのみ玄関扉の鍵を解錠することが可能になる。
【０１１２】
なお、上記自動ロック操作システムでは、アダプタ２の近距離無線通信回路２５は、近距離無線ユニット３の近距離無線通信回路３５との間で近距離無線通信可能な状態になると自動的にＩＤを送信する。このため、利用者が玄関扉に近づくと自動的に解錠される。これにより、利用者は携帯している携帯電話機１やアダプタ２を操作することなく、近距離無線ユニット３に近づくだけで玄関扉の鍵を解錠することができるようになる。
【０１１３】
一方、携帯電話機１またはアダプタ２が、玄関扉の鍵を解錠するための入力を受け付ける入力キー１６または操作部２６（入力手段）を備え、近距離無線通信回路２５が、入力キー１６または操作部２６への入力を待ってＩＤを送信するようになっていてもよい。つまり、利用者が携帯電話機１の入力キー１６またはアダプタ２の操作部２６により解錠のための操作を行った場合のみ解錠されるようになっていてもよい。そのためには、ステップＳ３において、利用者による上記操作を待ってアダプタ２がＩＤを送信するようになっておればよい。このように、複数の情報（ＩＤ、および利用者の操作により発生するコマンド）を組み合わせて操作対象５の操作を行うことで、解錠する意思がないようなときに自動的に解錠されることを防ぐことができる。
【０１１４】
上記自動ロック操作システムは、家のセキュリティを管理することにもなるが、さらにセキュリティレベルの向上を図るためには、アダプタ２にも固有のＩＤを予め設定しておくことが望ましい。
【０１１５】
さらに、携帯電話機１とアダプタ２との間のデータ通信をワイヤレスで行うようにして携帯電話機１とアダプタ２とを別々に保管、携帯できるようにしておくことが望ましい。この場合、図４（ａ）または図４（ｂ）のように、携帯電話機１とアダプタ２とを機械的に接続することなく通信可能としたものを用いればよい。この構成では、携帯電話機１およびアダプタ２に互いの間での無線通信を実現する機能を設ければよい。
【０１１６】
この場合、アダプタ２のＩＤはアダプタ２のメモリ２３に記憶させておけばよい。また、近距離無線ユニット３のメモリ３３にも、家へ入ることが許されている利用者のアダプタ２のＩＤを記憶させておく。そして、ステップＳ３において、アダプタ２が携帯電話機１およびアダプタ２のＩＤを近距離無線ユニット３に送信し、ステップＳ５において携帯電話機１およびアダプタ２の各ＩＤが一致した場合にのみ解錠するようにすればよい。
【０１１７】
この構成では、携帯電話機１、アダプタ２の一方が盗まれたような場合でも、それらの不正使用による操作対象の操作を防ぐことができる。さらに、携帯電話機１とアダプタ２とを別々に保管、携帯できると、携帯電話機１とアダプタ２とが同一の場所に存在する必要がないため、携帯電話機１とアダプタ２とが同時に盗まれ、不正に利用されて家に侵入される危険性を低減することができる。
【０１１８】
このように、アダプタ２がこのアダプタ２固有のＩＤ（送信側装置識別情報）を記憶するメモリ２３（送信側装置記憶手段）を備え、アダプタ２が無線信号として近距離無線ユニット３に送信する情報（操作情報）に、アダプタ２のＩＤがさらに含まれ、近距離無線ユニット３のメモリ３３が、アダプタ２のＩＤをさらに記憶し、近距離無線ユニット３のＣＰＵ３２が、受信した携帯電話機１のＩＤおよびアダプタ２のＩＤと、メモリ３３に記憶されている携帯電話機１のＩＤおよびアダプタ２のＩＤとが一致するか否かを判別し、操作対象制御ユニット４の操作対象操作部４５が判別結果に基づいて玄関扉の鍵を操作することが好ましい。
【０１１９】
さらに、携帯電話機１とアダプタ２との直接通信がワイヤレス通信であることが好ましい。なお、この場合には、携帯電話機１のコネクタ１８およびアダプタ２のコネクタ２８の代わりに、微弱電波等を用いたワイヤレス通信のための公知の通信手段を設けておけばよい。
【０１２０】
また、上記自動ロック操作システムに、扉の自動開閉機能を加えて自動開閉システムを構成することもできる。なお、扉は玄関扉に限られるものではなく、家の中にある各部屋の扉や車庫のシャッタなども対象となる。扉の開閉を行うためには、扉が操作対象５となる。この場合、操作対象制御ユニット４の操作対象操作部４５には、モータやギアの組み合わせにより扉を開閉できる機構を設けておけばよい。また、電動のシャッタの開閉を行うためには、シャッタが操作対象５となる。この場合、操作対象制御ユニット４の操作対象操作部４５には、シャッタの動力部への電力供給を制御する回路を設けておけばよい。
【０１２１】
このような自動開閉システムでは、携帯電話機１やアダプタ２を操作することなく自動的に扉等の開閉を行うことができるので、携帯電話機１の操作を習得できないペットなどの利用者もこの自動開閉システムを利用することができる。また、ペット以外に、老人や高度な機能を持たない掃除ロボットなどにも応用することができる。
【０１２２】
例えば、猫にアダプタ２を付けた携帯電話機１を取り付けておけば、猫がペット用の入り口に来たときに自動的に解錠するとともに扉を開けることで、飼い主が操作することなく猫を中に入れることができる。これによると、他の猫が来た場合にはペット用の入り口の扉が開かないため、他の猫が家の中に入ってくることを防ぐこともできる。同様に、掃除ロボットが施錠されている部屋に入る際に、自動的に解錠してその部屋に入って掃除をするということも可能となる。さらに、アダプタ２および携帯電話機１を車両に搭載している場合、家に到着したときに自動的に車庫のシャッタが解錠され、さらに自動的に開くようにすることもできる。
（システムの具体例２）
上記の自動ロック操作システムや自動開閉システムは、主に利用者個人の家などに設置するものである。したがって、近距離無線ユニット３への携帯電話機１やアダプタ２のＩＤの設定は、近距離無線ユニット３に入力部を設けておき、利用者自身がその入力部により直接入力することにより行うことができる。
【０１２３】
一方、操作対象５が公共の設備、例えば施設への入場ゲートなどである場合、利用者が近距離無線ユニット３に自分の携帯電話機１のＩＤを直接入力することは適切でない場合がある。ここでは、無線操作システムをこのような入場管理システムとして用いた場合について説明する。
【０１２４】
この入場管理システムでは、センタ装置８を含むとともに、近距離無線ユニット３がネットワーク通信回路３６（あるいは、パケット通信回路３６）によりネットワーク７（あるいは、携帯電話通信網６およびネットワーク７）を介してセンタ装置８とデータ通信できるようになっている。
【０１２５】
図１３は、入場管理システムにおける処理の流れの一部を示すフローチャートである。この入場管理システムでは、利用者がセンタ装置８に対してＩＤの登録を要請し、センタ装置８がネットワーク７を介して近距離無線ユニット３に携帯電話機１のＩＤ（アダプタ２のＩＤであってもよく、携帯電話機１およびアダプタ２のＩＤであってもよい。）を登録するようになっている。
【０１２６】
そのために、利用者は、まず近距離無線ユニット３へのＩＤの登録のための手続きを行う。この手続きでは、利用者が携帯電話機１のパケット通信回路１５から携帯電話通信網６およびネットワーク７を介してセンタ装置８に対し、携帯電話機１のＩＤを送信する（ステップＳ１１）。なお、携帯電話機１がＩＤを送信する際には、本入場管理システムによって入場を許可するために必要となる他の情報、例えば利用者の氏名なども含めて送信してもよい。
【０１２７】
センタ装置８では、携帯電話機１が送信したＩＤおよびその他の情報をネットワーク通信回路８５にて受信し、メモリ８３に一旦記憶する（ステップＳ１２）。ここで、センタ装置８は、ＣＰＵ８２により、携帯電話機１から受信した情報に基づいてその携帯電話機１の利用者の入場を許可するための条件が整っていること、例えば利用者の氏名などの必要な情報が含まれていることを確認し、整っている場合のみＩＤおよびその他の情報をメモリ８３に記憶して次のステップに進むようにしてもよい。
【０１２８】
次に、センタ装置８は、ネットワーク通信回路８５からネットワーク７を介して近距離無線ユニット３に対し、メモリ８３に一旦記憶したＩＤを送信する（ステップＳ１３）。近距離無線ユニット３では、センタ装置８が送信したＩＤをネットワーク通信回路３６により受信し、近距離無線ユニット３のメモリ３３に登録する（ステップＳ１４）。
【０１２９】
このようにして、近距離無線ユニット３に利用者の携帯電話機１のＩＤが登録されると、その後、利用者がアダプタ２および携帯電話機１を持って操作対象５である入場ゲートへ近づくと、図１２と同様の処理を経て入場ゲートが操作対象制御ユニット４により開かれる。
【０１３０】
このように、本入場管理システムは、携帯電話機１と、携帯電話通信網６、ネットワーク７（通信網）を介して携帯電話機１と通信可能なセンタ装置８とを含んで構成される。そして、携帯電話機１は、ＩＤをセンタ装置８に送信するパケット通信回路１５およびアンテナ１５ａ（携帯通信端末送信手段）を備えている。また、センタ装置８は、ＩＤを受信するとともに、受信したＩＤをネットワーク７（通信網）を介して送信するネットワーク通信回路８５（センタ装置受信手段）とを備えている。さらに、近距離無線ユニット３は、センタ装置８から送信されたＩＤを受信し、メモリ３３に記憶させるＣＰＵ３２（登録手段）を備えている。
【０１３１】
この構成では、操作対象５が公共のものであるような場合に、利用者は携帯電話機１により近距離無線ユニット３へのＩＤの登録が可能になる。また、センタ装置８を介することで、センタ装置８にて例えば所定の条件が整っている場合のみＩＤの登録を許可するといったことが可能になり、操作対象５を操作する利用者の管理が可能になる。
（システムの具体例３）
上記の各システムについては、基本的に操作対象５が１つの場合を想定して説明したが、複数の操作対象５を操作できるようになっていてもよい。ここでは、無線操作システムにおいて複数の操作対象５を操作する例として、車両操作システムについて説明する。
【０１３２】
車両操作システムでは、操作対象５として、ドアロック、セキュリティ管理システム、利用者別車両環境設定装置、エンジン始動ロックなどが考えられる。ここで、セキュリティ管理システムとは、車両の盗難を防止するためにセンサにより車両の状態を管理し、異常を検知すると警報をならす、所定の通報先へ通報するなどの対策をとるためのものである。また、利用者別車両環境設定装置は、車両の環境、例えばシートの位置やハンドルの高さなどを利用者ごとに予め設定された状態にする装置である。
【０１３３】
この車両操作システムでは、車両に１つの近距離無線ユニット３が設けられ、操作対象５ごとに操作対象制御ユニット４が設けられる。図１４は、近距離無線ユニット３の例を示す斜視図である。近距離無線ユニット３は、図１４（ａ）に示すように各操作対象制御ユニット４に接続された配線４ａがコネクタ３ａを介して接続されるようになっていてもよく、図１４（ｂ）に示すように車内ＬＡＮ３ｂを介して各操作対象制御ユニット４に接続されるようになっていてもよい。
【０１３４】
利用者がアダプタ２とともに携帯電話機１を持って車両に近づくと、図１２と同様の処理が行われ、ドアロック、セキュリティ管理システム、エンジン始動ロックそれぞれに設けられた操作対象制御ユニット４は、それぞれドアロック、セキュリティ管理システム、エンジン始動ロックを解除する。なお、利用者別車両環境設定装置に設けられた操作対象制御ユニット４は、近距離無線ユニット３が取得したＩＤに基づいて利用者ごとの車両環境の設定を行う。
【０１３５】
利用者は、上記の各操作を携帯電話機１の入力キー１６やアダプタ２の操作部２６を操作することなく行うことができる。すなわち、利用者はアダプタ２および携帯電話機１を衣服のポケットや鞄などに入れたまま車両に近づけばよく、これらを取り出して操作する必要はない。この車両操作システムでは、操作対象制御ユニット４によりドアロックの解除や他の操作をハンズフリーで行うことができる。したがって、利用者は、車両に近づき、ドアノブを操作しドアを開けて車両に乗り込み、エンジンをかけて運転を開始するといったシンプルな操作で、ドアロックの解除、セキュリティ管理システムの解除、利用者別車両環境設定などを行うことができる。なお、上記以外にも、ナビゲーションシステムをはじめドライバや搭乗者に対して情報を提供する車両情報システムの起動、車両を監視する監視センタへの運転開始の通知とサービス提供依頼など、運転開始時に必要な種々の操作を自動的に行うことができる。
【０１３６】
車両操作システムでは、利用者が車両に乗車中にもさらに車両を操作して利用者にサービスを提供することができる。例えば、乗車中に携帯電話機１がメールを受信した場合に、車両のメータパネルなどにメール着信を表示することが考えられる。
【０１３７】
図１５は、車両操作システムにおいてメール着信を車両のメータパネルに表示する処理の流れを示すフローチャートである。この場合、操作対象５は車両のメータパネルであり、このメータパネルには着信メールが有ることを表示することが可能なものである。
【０１３８】
この車両操作システムでは、アダプタ２が、ＣＰＵ２２により、携帯電話機１に着信メールが有るか否かを調べ（ステップＳ２１）、着信メールの有無を判別する（ステップＳ２２）。着信メールが無い場合には、所定の周期でステップＳ２１を繰り返す。着信メールが有る場合には、アダプタ２のＣＰＵ２２が着信メールが有ることを示す着信メール有信号を生成し、近距離無線通信回路２５から近距離無線ユニット３へ着信メール有信号を送信する（ステップＳ２２）。近距離無線ユニット３は、近距離無線通信回路３５により着信メール有信号を受信し（ステップＳ２３）、操作対象制御ユニットインターフェイス回路から操作対象５である車両のメータパネルに着信メールが有ることを表示させるための制御信号を操作対象制御ユニット４に対して送る（ステップＳ２５）。操作対象制御ユニット４では、近距離無線ユニットインターフェイス回路４４により制御信号を受信し、操作対象操作部４５により操作対象５である車両のメータパネルに着信メールが有ることを表示させる（ステップＳ２６）。
【０１３９】
この車両操作システムを利用すると、利用者は、車両の運転中においても前方およびメータパネルから目を話すことなく携帯電話機１がメールを着信したことを知ることができる。なお、メータパネルにより表示する以外に、車両のオーディオを利用して音声でメールを着信した旨を伝えるようにしてもよい。この場合、オーディオが操作対象５となる。
（本システムを用いたサービスの提供）
上述のように、本無線操作システムを用いたサービス提供者が、アダプタ２、近距離無線ユニット３、および操作対象制御ユニット４を利用者に提供することで、利用者は、もともと自分が利用している携帯電話機１により操作対象５を操作できるようになるというサービスを受けることができる。
【０１４０】
携帯電話機を用いた従来のサービスでは、利用者は携帯電話機の操作を行わなければならなかった。その操作は、電話の発信、着信のみを行う携帯電話機と比較して極めて複雑なものとならざるを得ない。このため、サービスの提供を受けるためには携帯電話機の複雑な操作を習得する必要があった。このことは、特に子供や老齢者が利用する際に大きな障害となり得る。また、一般の利用者にとっても、携帯電話機の操作に時間がかかる、急いでいるときに間に合わなくなるといった不便さがあった。
【０１４１】
また、従来のサービスでは、その携帯電話機が有する機能の範囲内でしか操作をすることができなかった。したがって、近距離無線通信機能を内蔵していない携帯電話機を利用している利用者は、携帯電話機を買い換えないとサービスを受けることができなかった。
【０１４２】
本無線操作システムを用いたサービスでは、上記のような不便さを解消することができる。この無線操作システムを用いることにより、利用者に操作の利便性を提供し、サービス内容の拡張やサービス提供範囲の拡大を図ることができる。これにより、携帯電話機の付加価値を高めて携帯電話事業の事業規模に匹敵するような極めて大きな事業を展開することが可能になる。
【０１４３】
本無線操作システムでは、操作対象の操作は携帯電話機１と、近距離無線通信機能を有するアダプタ２と、近距離無線ユニット３と、操作対象制御ユニット４とが連携して行う。これにより、単に携帯電話機とアダプタとを組み合わせただけのシステムでは受けることができないサービスを受けることができるようになる。
【０１４４】
アダプタ２の構成としては、アダプタ２のコネクタ２８や携帯電話機インターフェイス回路２４を携帯電話機１のコネクタ１８やアダプタインターフェイス回路１４に対応させる、つまり携帯電話機１の機種に対応させることによって、どの携帯電話機１にでも対応することが可能となる。また、アダプタ２を後付けの製品として提供できるため、携帯電話機１の発売後に利用者に提供することが可能である。したがって、以前に購入した携帯電話機１を利用することが可能になる。
【０１４５】
このようなアダプタ２と、近距離無線ユニット３、操作対象制御ユニット４とを組み合わせて、操作対象５を操作することによって、利用者に対して極めて広範なサービスを提供することが可能となる。例えば、操作対象５に応じて操作対象制御ユニット４を追加するだけで、サービスの内容と範囲を自在に拡大していくことが可能になる。
【０１４６】
本無線操作システムを用いると、携帯電話機１、アダプタ２、近距離無線ユニット３のいずれか１つのみでは検出することのできない複数の情報を利用して、操作対象５を操作することで、利用者に対してさまざまな利便性を提供することができる（利便性）。
【０１４７】
例えば、本無線操作システムを用いると、利用者が近づいたことや離れたこと、ある位置に来たことや来なかったことなどに基づいて、利用者に代わって自動的に操作対象５に対して操作を行い、サービスを提供することができる。このため、利用者は操作対象５に手を触れることなくハンズフリーで操作対象５の操作を実現できる。その際、本無線操作システムを用いると、携帯電話機１あるいはアダプタ２のみでは得ることのできない情報を活用でき、より高度な利便性を提供することができる。
【０１４８】
また、利用者の内部的な事情によって起因する操作の場合には、それを伝えるための１回の操作で操作対象５を操作することも可能である。この機能によって、利用者の意思の確認が必要となる場合などに、利便性を損なうことなく、サービスを提供できる。サービスの提供手順などのため、複数回の操作が必要な場合にも、利用者がその時点での意思を示すための、必要最小限の操作をするだけで、サービスの提供を受けることが可能になる。
【０１４９】
本無線操作システムを用いると、既存の携帯電話機１に後でアダプタ２を取り付けることによって、新たなサービスを提供することができるため、既存システムに大きな変更を加えることなく、新たなサービスを追加していくことができる（サービスの拡張性）。
【０１５０】
例えば、本無線操作システムを用いると、既存の携帯電話機１の形状や構成、ソフトウェア、通信方式に変更を加えることなく、そのまま利用することも可能である。したがって、利用者には、携帯電話機１を買い換える必要がない、新たな操作対象５を加える場合にも既存の携帯電話機１を用いることができる、といったメリットがある。また、サービス提供者には、新しいサービスを提供するときに新しい携帯電話機１を提供する必要がない、新たな操作対象５を加える場合にも既存の携帯電話機１を用いることができる、操作対象制御ユニット４を追加していくことでアダプタ２の適用領域を拡大することができる、といったメリットがある。
【０１５１】
また、本無線操作システムを用いると、操作対象５が外部から操作可能なものであればよいので、操作対象５の内部に特定の回路や装置を組み込んでおく必要はなく、操作対象５にほとんどあるいは全く変更を加えることなく、新たなサービスを提供することが可能になる。
【０１５２】
本無線操作システムを用いると、簡単な構成のアダプタ２、近距離無線ユニット３を携帯電話機１と組み合わせることで、構成要素が高度に連携することによって極めて広範囲にわたるサービスに対して適用することが可能である（適用範囲の拡大）。
【０１５３】
例えば、本無線操作システムを用いると、その場で携帯電話機１が携帯電話通信網６と通信できなくても操作対象５を操作できるためサービスの適用範囲は大幅に拡大される。
【０１５４】
また、本無線操作システムを用いると、操作対象制御ユニット４を追加していくことで、操作対象５の種類を増やすことが可能になる。したがって、サービスを利用できる空間は拡大していく。例えば、ホームユースのサービスの提供を受けていた利用者が、近距離無線ユニット３および操作対象制御ユニット４を車両に取り付けることで、家と車両の両方でサービスを受けることが可能になる。
【０１５５】
また、本本無線操作システムを用いると、利用者が操作意思を伝える対象は、携帯電話機１あるいは操作対象５に限定されないため、これらに直接操作意思を伝えることなく操作対象５の操作を行うことができる。したがって、サービス提供者が、利用者の持つ操作意思を伝える能力に応じて、アダプタ２、近距離無線ユニット３、操作対象制御ユニット４を提供することによって、従来サービスの提供を受けることができなかった、ペット、老齢者、ロボットなどにまで利用者の範囲を拡大することができる。また、利用者の範囲を拡大することで、サービス事業の市場規模を飛躍的に拡大することができる。
【０１５６】
また、本無線操作システムを用いると、操作可能な操作対象５が拡大される。本無線操作システムは、近距離無線ユニット３および操作対象制御ユニット４を有しているため、従来のサービスでは操作できなかった操作対象５を操作することができる。例えば、ホームセキュリティサービスでは、家の鍵や窓の開閉などをハンズフリーで自動的に行うことが可能になる。また、車両のドアロック解除をハンズフリーで行うことが可能になる。さらに、ホームセキュリティサービスと連携することにより、車庫のシャッタの開閉まで自動的に行うことができる。
【０１５７】
〔実施形態２〕
本発明の第２の実施形態について図１６から図１９に基づいて説明すれば、以下の通りである。なお、実施形態１において説明した部材と同等の機能、構成を有する部材については、同一の符号を付記し、その説明を一部省略する。
（システム構成）
図１６は、本実施形態における無線操作システムの構成を示す概念図である。本無線操作システムは、携帯電話機１を操作するためのものであり、携帯電話機１、アダプタ２、近距離無線ユニット３、および監視ユニット９からなっている。
【０１５８】
ここで、携帯電話機１、アダプタ２、および近距離無線ユニット３は、実施形態１においてそれぞれ図５、図６、および図８に基づいて説明したものと基本的には同等の構成を有している。ただし、本無線操作システムでは、信号送信の向きが逆になっており、監視ユニット９が近距離無線ユニット３に対して監視信号を送信し、近距離無線ユニット３がアダプタ２に対して無線信号を送信し、アダプタ２が携帯電話機１に対して制御信号を送信するようになっている。
【０１５９】
図１７は、監視ユニット９の内部構成を示すブロック図である。監視ユニット９は、近距離無線ユニットインターフェイス回路９４と監視部９５とがＣＰＵ９２を介して接続された構成である。
【０１６０】
ＣＰＵ９２は、例えばマイクロコンピュータによって構成されており、監視対象１０の状態を示す監視情報を監視部９５から取得し、その監視情報を含む監視信号を近距離無線ユニットインターフェイス回路９４から近距離無線ユニット３に送る。
【０１６１】
監視部９５は、監視対象１０によって異なる構成となる。例えば、監視対象１０の状態が、監視対象１０に備えられた機械的スイッチやボタン、レバーなどの位置によってその状態、例えばその監視対象１０が動作しているか否かを判別できる場合、監視部９５は、その機械的スイッチやボタン、レバーなどの位置を検出できるものであればよい。監視対象１０が、その状態を電気的に検出できるようなものである場合、監視部９５は、そのような電気的検出を行うものであればよい。このように、監視部９５は監視対象１０に対応した構成となっている。
【０１６２】
近距離無線ユニット３は、ほぼ図８に示した構成であるが、図１８に示すように、図８の操作対象制御ユニットインターフェイス回路３４が監視ユニットインターフェイス回路３９になる。また、ＣＰＵ３２が、操作対象制御ユニットインターフェイス回路３４にて監視ユニット９から受信した監視信号に応じて、近距離無線ユニット３の各種制御を行い、近距離無線通信回路３５およびアンテナ３５ａを介してアダプタ２に無線信号を送信する。また、監視ユニットインターフェイス回路は、監視ユニット９から監視信号を受信するためのインターフェイスである。
【０１６３】
アダプタ２は、図６に示した構成であるが、ここでは、ＣＰＵ２２が、アンテナ２５ａおよび近距離無線通信回路２５にて受信した無線信号に応じて、アダプタ２の各種制御を行い、携帯電話機インターフェイス回路２４およびコネクタ２８を介して携帯電話機１に制御信号を送る。
【０１６４】
以上のように、本無線操作システムは、携帯電話機１（携帯通信端末）を無線操作するためのものであって、主に次ぎのような特徴を有している。すなわち、本無線操作システムは、監視対象１０の状態を検知する監視部９５（検知手段）、およびこの監視部９５にて検知された監視対象１０の状態を表す監視情報を近距離無線により送信する近距離無線通信回路３５およびアンテナ３５ａ（送信手段）を備えた近距離無線ユニット３（送信側装置）と、監視情報を受信するアンテナ２５ａおよび近距離無線通信回路２５（受信手段）、この近距離無線通信回路２５にて受信した監視情報に基づいて携帯電話機１を操作するための操作情報を生成するＣＰＵ２２（操作情報生成手段）、および携帯電話機１とともに携帯されることにより携帯電話機１と直接通信し、操作情報を携帯電話機１に送信する携帯電話機インターフェイス回路２４およびコネクタ２８（通信手段）を備えたアダプタ２（受信側装置）とを備えている。なお、アダプタ２と携帯電話機１との間の「直接通信」とは、アダプタ２と携帯電話機１との間で、公衆回線を介さずに行われる通信をいう。
【０１６５】
この構成では、監視対象１０の状態に応じた操作情報を携帯電話機１に送ることにより、監視対象１０の状態に応じて携帯電話機１を操作することができるようになる。
【０１６６】
以下では、図１６、図５、図６、図８、図１７、図１８を参照しつつ、本無線操作システムの具体例について説明する。なお、以下において説明する監視ユニット９、近距離無線ユニット３、アダプタ２、携帯電話機１の動作は、それぞれに備えられたＣＰＵによって制御されるものである。
（システムの具体例）
ここでは、本無線操作システムを車内操作システムとして用いた場合について説明する。
【０１６７】
図１９は、車内操作システムにおける処理の流れを示すフローチャートである。この車内操作システムは、利用者が携帯電話機１およびアダプタ２を持って乗車している場合に、車両の状態に応じて携帯電話機１を操作するために用いられる。ここでは、車両のエンジンがかかっているときには、利用者が運転中であるとみなして携帯電話機１をいわゆるハンズフリー通話可能な状態（ハンズフリーモード）に設定し、車両のエンジンがかかっていないときには、携帯電話機１を通常の通話が可能な状態（通常モード）に設定する例について説明する。
【０１６８】
まず、監視ユニット９が監視部９５により車両のエンジンの状態、つまりエンジンがかかっているか否かを調査する（ステップＳ３１）。この場合、監視部９５は、イグニッションキーの位置を機械的に調べる、あるいは車両の電気系統の所定の箇所における電圧を調べるなどすることによりエンジンの状態を検知することができる。そして、監視ユニット９のＣＰＵ９２にてエンジンがかかっているか否かを判別する（ステップＳ３２）。エンジンがかかっている場合には、監視ユニット９がエンジンのかかっていることを示すエンジンＯＮ信号を生成し、そのエンジンＯＮ信号を監視信号として近距離無線ユニットインターフェイス回路９４から近距離無線ユニット３に送る（ステップＳ３３）。近距離無線ユニット３では、監視ユニットインターフェイス回路３９にてエンジンＯＮ信号を受信し、そのエンジンＯＮ信号を無線信号として近距離無線通信回路３５からアダプタ２に送信する（ステップＳ３４）。アダプタ２では、近距離無線通信回路２５によりエンジンＯＮ信号を受信し（ステップＳ３５）、ＣＰＵ２２がそのエンジンＯＮ信号に基づいて携帯電話機１をハンズフリーモードに設定するための制御信号を生成し、アダプタインターフェイス回路２４およびコネクタ２８を介して携帯電話機１に送る（ステップＳ３６）。携帯電話機１では、コネクタ１８およびアダプタインターフェイス回路１４を介して制御信号を受け取り、ＣＰＵ１２が制御信号に基づいて携帯電話機１をハンズフリーモードに設定する（ステップＳ３７）。
【０１６９】
ステップＳ３２において、エンジンがかかっていないと判別された場合には、ステップＳ３８からステップＳ４０においてエンジンがかかっていないことを示すエンジンＯＦＦ信号が順次送られる。そして、アダプタ２のＣＰＵ２２がそのエンジンＯＦＦ信号に基づいて携帯電話機１を通常モードに設定するための制御信号を生成し、アダプタインターフェイス回路２４およびコネクタ２８を介して携帯電話機１に送る（ステップＳ４１）。携帯電話機１では、コネクタ１８およびアダプタインターフェイス回路１４を介して制御信号を受け取り、ＣＰＵ１２が制御信号に基づいて携帯電話機１を通常モードに設定する（ステップＳ４２）。
【０１７０】
以上のような処理が、所定の周期で繰り返されることにより、携帯電話機１は、エンジンがかかっている間はハンズフリーモードに設定され、エンジンがかかっていない間は通常モードに設定されることになる。
【図面の簡単な説明】
【０１７１】
【図１】本発明の第１の実施形態に係る無線操作システムの構成を示す概念図である。
【図２】図１の無線操作システムに用いられる携帯電話機およびアダプタの外観を示す図であり、（ａ）は正面図、（ｂ）は斜視図である。
【図３】図１の無線操作システムに用いられるカード型携帯電話機およびカード型携帯電話機用アダプタの外観を示す図であり、（ａ）は正面図、（ｂ）は斜視図である。
【図４】図１の無線操作システムに用いられる他の携帯電話機およびアダプタを示す図であり、（ａ）はボード型携帯電話機およびボード型携帯電話機用アダプタを示す斜視図、（ｂ）はワイヤレス通信可能である携帯電話機およびアダプタを示す正面図、（ｃ）はペン型の携帯電話機本体およびヘッドセットからなる携帯電話機、およびこの携帯電話機とワイヤレス通信可能なアダプタを示す正面図である。
【図５】図１の無線操作システムに用いられる携帯電話機の内部構成を示すブロック図である。
【図６】図１の無線操作システムに用いられるアダプタの内部構成を示すブロック図である。
【図７】図１の無線操作システムに用いられるアダプタ、近距離無線ユニット、操作対象制御ユニット、および操作対象の関係を示すブロック図である。
【図８】図１の無線操作システムに用いられる近距離無線ユニットの内部構成を示すブロック図である。
【図９】図１の無線操作システムに用いられる操作対象制御ユニットの内部構成を示すブロック図である。
【図１０】図１の無線操作システムに用いられるセンタ装置の内部構成を示すブロック図である。
【図１１】図１の無線操作システムの具体例としての自動ロック操作システムの概念を示す概念図である。
【図１２】図１の無線操作システムの具体例としての自動ロック操作システムにおける処理の流れを示すフローチャートである。
【図１３】図１の無線操作システムの具体例としての入場管理システムにおける処理の流れの一部を示すフローチャートである。
【図１４】図１の無線操作システムに用いられる近距離無線ユニットの具体例を示す斜視図であり、（ａ）は配線により操作対象制御ユニットに接続されるものの斜視図、（ｂ）は車内ＬＡＮにより操作対象制御ユニットに接続されるものの斜視図である。
【図１５】図１の無線操作システムの具体例としての車両操作システムにおいてメール着信を車両のメータパネルに表示する処理の流れを示すフローチャートである。
【図１６】本発明の第２の実施形態に係る無線操作システムの構成を示す概念図である。
【図１７】図１６の無線操作システムに用いられる監視ユニットの内部構成を示すブロック図である。
【図１８】図１６の無線操作システムに用いられる近距離無線ユニットの内部構成を示すブロック図である。
【図１９】図１６の無線操作システムの具体例としての車内操作システムにおける処理の流れを示すフローチャートである。
【符号の説明】
【０１７２】
１    携帯電話機
２    アダプタ
３    近距離無線ユニット
４    操作対象制御ユニット
５    操作対象
６    携帯電話通信網
７    ネットワーク
８    センタ装置
９    監視ユニット
１０    監視対象
【図１】
2005295601.tif 000003
【図２】
2005295601.tif 000004
【図３】
2005295601.tif 000005
【図４】
2005295601.tif 000006
【図５】
2005295601.tif 000007
【図６】
2005295601.tif 000008
【図７】
2005295601.tif 000009
【図８】
2005295601.tif 000010
【図９】
2005295601.tif 000011
【図１０】
2005295601.tif 000012
【図１１】
2005295601.tif 000013
【図１２】
2005295601.tif 000014
【図１３】
2005295601.tif 000015
【図１４】
2005295601.tif 000016
【図１５】
2005295601.tif 000017
【図１６】
2005295601.tif 000018
【図１７】
2005295601.tif 000019
【図１８】
2005295601.tif 000020
【図１９】
2005295601.tif 000021